(57)【要約】【課題】被施術者の身体の一部を加温することで、快適な環境を提供することができる理美容施術台を提供する。【解決手段】理美容施術台２１は、下腿載置部６に下腿温熱部１２が内蔵され、上半身載置部２７に上半身温熱部２３が内蔵され、上半身温熱範囲２４が、上半身載置部２７の上部近傍において、中心線Ｘと直交する幅方向の端から端まである。上半身温熱部２３は、温度検知器によって、設定された温度範囲に制御され、このことによって、接触面が、所定の周期および所定の温度範囲において高温と低温とに繰り返し変化する。【選択図】図１０
2019217249.tif 000002
【特許請求の範囲】
【請求項１】
被施術者の臀部および大腿が載せられる臀部大腿載置部と、この臀部大腿載置部の先端に連結されて被施術者の下腿が載置される下腿載置部と、前記臀部大腿載置部の後部側に連結されて被施術者の上半身が載せられる上半身載置部と、を有する理美容施術台において、
前記上半身載置部に上半身温熱部が備えられ、この上半身温熱部による温度が、所定の温度範囲において高温と低温とに繰り返し変化する、
ことを特徴とする理美容施術台。
【請求項２】
前記上半身温熱部による温熱範囲が、被施術者の肩近傍における肩幅方向に沿った範囲である、
ことを特徴とする請求項１に記載された理美容施術台。
【請求項３】
前記上半身載置部と被施術者との接触面における前記温度範囲が３７から４１度であり、高温と低温との差が２度以内である、
ことを特徴とする請求項１または請求項２に記載された理美容施術台。
【請求項４】
前記上半身温熱部による温熱範囲が、被施術者の背骨に沿った範囲である、
ことを特徴とする請求項１に記載された理美容施術台。
【請求項５】
前記上半身温熱部による温熱範囲が、前記上半身載置部の前後方向に渡る中心線を中心として両幅方向に５０から２００ミリメートルである、
ことを特徴とする請求項１または請求項４に記載された理美容施術台。
【請求項６】
前記下腿載置部に下腿温熱部が備えられた、
ことを特徴とする請求項１から請求項５のいずれか１項に記載された理美容施術台。
【請求項７】
前記上半身載置部の後方に配置されて被施術者の頭部が載置されるシャンプーボウルを有し、
前記上半身載置部が倒れて前記シャンプーボウルに近接したベッド状態と、前記上半身載置部が起きた椅子状態とに、相互に変形する、
ことを特徴とする請求項１から請求項５のいずれか１項に記載された理美容施術台。
【発明の詳細な説明】
【技術分野】
【０００１】
本発明は、理美容施設などで用いられる理美容施術台に関するものである。
【背景技術】
【０００２】
従来、理美容施設などに設置されたシャンプー用の椅子として、背もたれ部が倒れてシャンプー台に近接することで、被施術者が横たわると共に頭部がシャンプー台に載せられるものがある。近年の理美容施設では、シャンプーだけでなく、頭皮のマッサージやリンパの流れを改善し、リラクゼーションを促すことなどを目的として、数十分のヘッドスパも行われているため、シャンプー用の椅子は、リラクゼーションに適した仕様であることも望まれる。
【０００３】
例えば、下記特許文献１に記載された医療用椅子は、レッグレストに温熱手段が内蔵され、被施術者の脚を加温することで、快適な環境を提供するものである。
【先行技術文献】
【特許文献】
【０００４】
【特許文献１】特開２００１−３７８２５号公報
【発明の概要】
【発明が解決しようとする課題】
【０００５】
理美容施設におけるシャンプー用の椅子などにおいても、被施術者の身体の一部を加温することで、リラクゼーション効果が期待できる。
【０００６】
例えば、被施術者は、ヘッドスパの最中に眠気が起こることで施術に快感を覚え、満足を得る傾向にある。
【０００７】
本発明は、上記の実情に鑑みて提案されたものである。すなわち、被施術者の身体の一部を加温することで、快適な環境を提供することができる理美容施術台の提供を目的とする。特に、被施術者が眠気を起こす環境を提供することができる理美容施術台の提供を目的とする。
【課題を解決するための手段】
【０００８】
人間は、体内の温度である深部体温が低下する際に眠気を起こす。したがって、理美容施術台において、被施術者の深部体温を強制的に下げることができれば、被施術者は眠気が促される。
【０００９】
そこで、上記目的を達成するために、本発明に係る理美容施術台は、被施術者の臀部および大腿が載せられる臀部大腿載置部と、この臀部大腿載置部の先端に連結されて被施術者の下腿が載置される下腿載置部と、前記臀部大腿載置部の後部側に連結されて被施術者の上半身が載せられる上半身載置部と、を有する理美容施術台において、前記上半身載置部に上半身温熱部が備えられ、この上半身温熱部による温度が、所定の温度範囲において高温と低温とに繰り返し変化する、ことを特徴とする。
【００１０】
本発明に係る理美容施術台は、前記上半身温熱部による温熱範囲が、被施術者の肩近傍における肩幅方向に沿った範囲である、ことを特徴とする。
【００１１】
本発明に係る理美容施術台は、前記上半身載置部と被施術者との接触面における前記温度範囲が３７から４１度であり、高温と低温との差が２度以内である、ことを特徴とする。
【００１２】
本発明に係る理美容施術台は、前記上半身温熱部による温熱範囲が、被施術者の背骨に沿った範囲である、ことを特徴とする。
【００１３】
本発明に係る理美容施術台は、前記上半身温熱部による温熱範囲が、前記上半身載置部の前後方向に渡る中心線を中心として両幅方向に５０から２００ミリメートルである、ことを特徴とする。
【００１４】
本発明に係る理美容施術台は、前記下腿載置部に下腿温熱部が備えられた、ことを特徴とする。
【００１５】
本発明に係る理美容施術台は、前記上半身載置部の後方に配置されて被施術者の頭部が載置されるシャンプーボウルを有し、前記上半身載置部が倒れて前記シャンプーボウルに近接したベッド状態と、前記上半身載置部が起きた椅子状態とに、相互に変形する、ことを特徴とする。
【００１６】
なお、理美容施術台は、前記上半身温熱部が、施術中の温度である施術中温度、および、施術が終了する直前の温度であって前記施術中温度よりも低い終了温度に制御される構成であってもよい。
【００１７】
なお、理美容施術台は、施術中における前記上半身温熱部の温度である施術中温度が、３６から４０度であり、施術が終了する直前における前記上半身温熱部の温度である終了温度が、３６度未満であってもよい。
【発明の効果】
【００１８】
本発明に係る理美容施術台は、上半身載置部に上半身温熱部が備えられ、この上半身温熱部による温度が、所定の温度範囲において高温と低温とに繰り返し変化する。この構成により、被施術者の上半身が加温され、リラクゼーション効果が生じる。特に、上半身温熱部の温度が高温から低温に下がることで、上半身載置部から被施術者に伝わる熱が下がると共に被施術者の深部体温が下がり、被施術者は眠気を起こす。したがって、被施術者に快適な環境を提供することができる。
【００１９】
本発明に係る理美容施術台は、上半身温熱部による温熱範囲が、被施術者の肩近傍における肩幅方向に沿った範囲である。この構成により、被施術者の上半身のうち、肩や背中が加温され、手の皮膚温が上昇する。手指の毛細血管から表皮を通じて放熱量が増えると、やがて深部体温が下がり、被施術者は眠気を起こす。昇温と降温とが繰り返されると、複数回に渡って被施術者に眠気を起こさせることができる。したがって、被施術者に快適な環境を提供することができる。
【００２０】
本発明に係る理美容施術台は、温度範囲が３７から４１度であり、高温と低温との差が２度以内である。一般的な体温である約３６から３７度よりも若干高い温度範囲であれば、体が過剰に加温されることがなく、深部体温も過剰に上昇しない。すなわち、深部体温の上昇が適度であれば、放熱による深部体温の低下が適切に促される。また、高温と低温との差が２度程度であれば、過剰に深部体温を制御することがなく、被施術者に適切に眠気を起こさせることができると考えられる。したがって、快適な環境を提供することができる。なお、高温と低温との差が広すぎた場合、寒暖が顕著となり、被施術者が不快に感じる場合がある。
【００２１】
本発明に係る理美容施術台は、上半身温熱部による温熱範囲が、被施術者の背骨に沿った範囲である。この構成により、被施術者の上半身のうち、背骨に沿った部位が特に加温され、リラクゼーション効果が生じる。したがって、被施術者に快適な環境を提供することができる。
【００２２】
本発明に係る理美容施術台は、上半身温熱部による温熱範囲が、上半身載置部の前後方向に渡る中心線を中心として両幅方向に５０から２００ミリメートルである。この構成により、被施術者の上半身のうち、背骨に沿った部位が、温熱範囲に収まって適切に加温され、リラクゼーション効果が生じる。したがって、被施術者に快適な環境を提供することができる。
【００２３】
本発明に係る理美容施術台は、下腿載置部に下腿温熱部が備えられている。この構成により、被施術者の上半身に加えて下腿が加温され、リラクゼーション効果が生じる。
【００２４】
本発明に係る理美容施術台は、上半身載置部の後方に配置されて被施術者の頭部が載置されるシャンプーボウルを有し、上半身載置部が倒れてシャンプーボウルに近接したベッド状態と、上半身載置部が起きた椅子状態とに、相互に変形する。したがって、被施術者は、椅子状態の理美容施術台に着座すれば、自動的にベッド状態における快適な姿勢が促される。施術が終わった後、理美容施術台が椅子状態に変形すれば、被施術者は着座した姿勢が促される。
【００２５】
なお、理美容施術台は、上半身温熱部が、施術中の温度である施術中温度、および、施術が終了する直前の温度であって施術中温度よりも低い終了温度に制御される構成であってもよい。この構成により、施術が終了する際、温熱範囲の温度が徐々に低下し、リラックスした環境から通常の環境に、緩やかに遷移させ、快適な覚醒を被施術者に提供することができる。
【００２６】
なお、理美容施術台は、理美容施術台は、施術中における上半身温熱部の温度である施術中温度が、３６から４０度であり、施術が終了する直前における上半身温熱部の温度である終了温度が、３６度未満であってもよい。この構成により、温熱範囲の温度が３６度から徐々に低下し、リラックスした環境から通常の環境に、緩やかに遷移させ、快適な覚醒を被施術者に提供することができる。
【図面の簡単な説明】
【００２７】
【図１】図１は、本発明の第一実施形態に係る理美容施術台の椅子状態における外観斜視図である。
【図２】図２は、本発明の第一実施形態に係る理美容施術台の椅子状態における外観側面図である。
【図３】図３は、本発明の第一実施形態に係る理美容施術台の椅子状態における外観平面図である。
【図４】図４は、本発明の第一実施形態に係る理美容施術台のベッド状態における外観斜視図である。
【図５】図５は、本発明の第一実施形態に係る理美容施術台のベッド状態における外観側面図である。
【図６】図６は、本発明の第一実施形態に係る理美容施術台のベッド状態における外観平面図である。
【図７】図７は、本発明の第一実施形態に係る理美容施術台における実施例の条件の概要を比較例と共に示した概要説明図である。
【図８】図８は、本発明の第一実施形態に係る理美容施術台における実施例の検証作業を説明するための説明図である。
【図９】図９は、本発明の第一実施形態に係る理美容施術台における実施例の検証結果を示した説明図である。
【図１０】図１０は、本発明の第二実施形態に係る理美容施術台の椅子状態における外観斜視図である。
【図１１】図１１は、本発明の第二実施形態に係る理美容施術台における上半身温熱部による温度変化の例を示したグラフである。
【図１２】図１２は、本発明の第二実施形態に係る理美容施術台における上半身温熱部による温度変化の他の例を示したグラフである。
【発明を実施するための形態】
【００２８】
以下に、本発明の第一実施形態に係る理美容施術台を図面に基づいて説明する。図１から図６は、第一実施形態に係る理美容施術台１の外観が示されている。図１から図３は、椅子状態の理美容施術台１が示され、図４から図６は、ベッド状態の理美容施術台１が示されている。なお、以下の説明では、設置面に対して垂直な方向が上方および下方、上半身載置部７から下腿載置部６に向かう方向が前方、下腿載置部６から上半身載置部７に向かう方向が後方（図２および図５参照）、前後方向と直交し、上半身載置部７の横幅の向きが幅方向である（図３および図６参照）。
【００２９】
図１から図６に示されているとおり、理美容施術台１は、設置面に固定される基台部２と、この基台部２に連結された施術台本体部４とから構成されている。
【００３０】
基台部２は、例えば空圧式、油圧式のピストンシリンダーなどの駆動部（図示省略）や、施術台本体部４の配置や角度を制御する位置制御部（図示省略）、施術台本体部４の温度を制御する温度制御部（図示省略）などが内蔵されている。基台部２は、施術台本体部４の高さや角度を変化させる変形機構３が備えられている。変形機構３は、複数のアームやリンク機構によって実現されている。
【００３１】
施術台本体部４は、被施術者（図示省略）の臀部および大腿が載せられる臀部大腿載置部５と、この臀部大腿載置部５の先端に連結されて被施術者の下腿が載置される下腿載置部６と、臀部大腿載置部５の後部側近傍の連結軸１０に連結されて被施術者の上半身が載せられる上半身載置部７とを有している。また、被施術者の頭部が載置されるシャンプーボウル（図示省略）が、上半身載置部７の後方に配置されている。シャンプーボウルは、上半身載置部７と間を空けて配置され、または、上半身載置部７に近接して配置されている。シャンプーボウルが上半身載置部７と間を空けて配置されている場合、シャンプーボウルは、上半身載置部７が倒れ、被施術者が上半身載置部７に仰向けに横たわった場合に頭部が載置できる程度に、上半身載置部７の後端が近接する位置に配置されている。シャンプーボウルは、基台部２を介して一体であってもよく、また、施術台本体部４から独立した移動式でもよい。
【００３２】
各部５，６，７は、例えば、バネ、樹脂、綿などのクッション材が上面に取り付けられ、革や布などで覆われている。臀部大腿載置部５は、ほぼ四角形の座部である。
【００３３】
下腿載置部６は、ほぼ四角形または台形のレッグレストであり、全長が、被施術者の足よりも先端側に長く形成されている。すなわち、被施術者の足が下腿載置部６からはみ出すことなく、下腿が足先まで下腿載置部６に載置される。下腿載置部６は、下腿温熱部１１が内蔵されている。下腿温熱部１１は、例えば電気ヒーターなどであり、サーミスタなどの温度検知手段（図示省略）を有している。下腿温熱部１１による下腿温熱範囲１２は、下腿載置部６のほぼ全体に渡っている。下腿温熱部１１の温度は、温度制御部において、電力量による制御、または、断続的な電源のＯＮ−ＯＦＦによる制御によって調節される。下腿温熱範囲１２の温度は、約３６から４０度、約３７．５から３９度である。
【００３４】
上半身載置部７は、ほぼ四角形の背もたれであり、側方にひじ掛け部８が形成されている。ひじ掛け部８は、前方に向けて張り出している。上半身載置部７は、上半身温熱部１３が内蔵されている。上半身温熱部１３は、例えば電気ヒーターなどであり、サーミスタなどの温度検知手段（図示省略）を有している。上半身温熱部１３による上半身温熱範囲１４は、被施術者の背骨に沿った範囲である。詳説すれば、上半身温熱範囲１４は、上半身載置部７の先端から後端まで、かつ、上半身載置部７の前後方向に渡る中心線Ｘを中心として両幅方向に約５０から１００ミリメートルである（上半身温熱範囲１４の幅は、約１００から４００ミリメートルである。）。好ましくは、上半身温熱範囲１４の幅は、約３２０ミリメートルである。すなわち、上半身温熱範囲１４は、被施術者が上半身載置部７に仰向けに横たわった場合に、背骨を通り腰から頸部に渡って加温することができる範囲である。なお、上半身温熱範囲１４は、任意に設定することができる。例えば、上半身載置部７のほぼ全体、頸部近傍のみ、腰近傍のみ、ひじ掛け部８などが、上半身温熱範囲１４に設定される。上半身温熱部１３の温度は、温度制御部において、電力量による制御、または、断続的な電源のＯＮ−ＯＦＦによる制御によって調節される。
【００３５】
温度制御部は、例えば、シャンプーやヘッドスパなどの施術中の温度である施術中温度、および、施術が終了する直前の温度であって施術中温度よりも低い終了温度に、上半身温熱部１３の温度を制御する。ここで、施術中温度は、約３６から４０度であり、終了温度は、約３６度未満である。施術中温度が、約３８．５から４１度であり、終了温度が、約３８．５度未満としてもよい。
【００３６】
シャンプーボウルは、半球状であり、例えば、シャワーヘッド、止水栓、被施術者の頸部を支持する支持部材が備えられている。シャンプーボウルは、施術者が、被施術者の頭頂部側から施術するリアシャンプー式、被施術者の頭部の側方から施術するサイドシャンプー式のいずれであってもよく、また、全自動のオートシャンプー式であってもよい。
【００３７】
各部５，６，７は、基台部２の変形機構３に連結されている。したがって、変形機構３が稼働することで、各部５，６，７が変位し、理美容施術台１は、椅子状態とベッド状態とに相互に変化する。
【００３８】
図１から図３に示されているとおり、椅子状態は、被施術者が着座できる形態である。この椅子状態では、図２に示されているとおり、臀部大腿載置部５は、後端を軸として上向きに僅かに傾斜している。上半身載置部７は、連結軸１０を軸として起きている。下腿載置部６は、臀部大腿載置部５の前端を軸として下向きに傾斜している。一方で、図４から図６に示されているとおり、ベッド状態は、被施術者が仰向けに横たわり、シャンプーやヘッドスパなどの施術が行われる形態である。このベッド状態では、図５に示されているとおり、臀部大腿載置部５は、後端を軸として上向きに僅かに傾斜している。上半身載置部７は、連結軸１０を軸として倒れ、後端がシャンプーボウルに近接している。下腿載置部６は、ほぼ水平である。
【００３９】
上記のとおり、理美容施術台１が構成されている。次に、理美容施術台１の実施例に基づいた検証結果を、比較例と共に説明する。図７は、実施例と比較例の条件の概要が示され、図８は、実施例および比較例の検証作業の説明が示され、図９は、実施例および比較例の検証結果が示されている。
【００４０】
図７に示されているとおり、実施例は、ベッド状態であり、下腿温熱部１１が稼働して下腿温熱範囲１２が温まっており、かつ、上半身温熱部１３が稼働して上半身温熱範囲１４が温まっている。一方で、比較例１は、ベッド状態であり、下腿温熱部１１が稼働して下腿温熱範囲１２が温まっているが、上半身温熱部１３が停止している。比較例２は、ベッド状態であり、下腿温熱部１１が稼働して下腿温熱範囲１２が温まっており、かつ、上半身温熱部１３が稼働して温まった温熱範囲が、頸部近傍の背中部分である。
【００４１】
被験者は、２０代から４０代の１０名の女性である。同一人物が、実施例、比較例１、比較例２を一週間の間隔を開けて体験した。実施例、比較例１、比較例２を体験する順番は、被験者ごとに任意である。
【００４２】
図８に示されているとおり、はじめに、被施術者を着座させて５分間の安静時間を設け、次いで検証前測定として、１０分間で、ＶＡＳ（Ｖｉｓｕａｌ  Ａｎａｌｏｇ  Ｓｃａｌｅ）、二次元気分尺度（ＴＤＭＳ−ＳＴ）を実施し、下腿周囲径、筋硬度（肩、腰、足）、血圧を順番に測定した。ベッド状態の理美容施術台１で、５分間、仰臥位の姿勢で安静時間を設けた。次いで、各温熱部（比較例１では下腿温熱部のみ）の電源を入れ、同時に、皮膚表面温度を測定した。電源を入れてから５分後を検証開始時刻として、３０分間の検証を行った。検証開始時と、検証開始から１０分ごとの計４回、皮膚表面温度を測定し、同時に聞き取り調査を行った。安静時間の開始時から検証時間の終了時までの４０分の間、皮膚血流量、心拍数、脈拍数、心拍スペクトルを測定した。また、実際の施術を想定し、試験者が、被験者の頭部を１５秒間持ち上げる動作を、聞き取り調査の度に行った。最後に、検証後測定として、血圧、下腿周囲径、筋硬度の順に測定し、ＶＡＳとＴＤＭＳ−ＳＴを実施した。
【００４３】
図９に示されているとおり、比較例１では、皮膚温が手指において低下し、筋硬度が腰において増加した。主観評価についても、検証中における首への負担感が増加し、身体的負担が軽減されにくい傾向がみられた。
【００４４】
比較例２では、手甲における皮膚温の上昇、手指における皮膚血流の増加、六点周囲径計測法による足体積の減少がみられ、末梢循環が改善された可能性がある。
【００４５】
実施例では、手甲における皮膚温の上昇、肩や足における筋硬度の減少がみられ、筋疲労を緩和させることで、身体的負担を軽減させる効果が期待できる。
【００４６】
次に、理美容施術台１の効果を説明する。
【００４７】
上記したとおり、理美容施術台１では、下腿載置部６は、下腿温熱部１１が内蔵され、また、上半身載置部７は、上半身温熱部１３が内蔵されている。上半身温熱範囲１４は、上半身載置部７の先端から後端まで、かつ、上半身載置部７の前後方向に渡る中心線Ｘを中心として両幅方向に約５０から１００ミリメートルである。この構成により、被施術者が上半身載置部７に仰向けに横たわった場合に、背骨を通り腰から頸部に渡って加温され、かつ、下腿が加温され、リラクゼーション効果が生じる。特に、ヘッドスパの施術では、頭部が刺激されると共に温湯で加温され、さらなるリラクゼーション効果が生じる。したがって、被施術者に快適な環境を提供することができる。
【００４８】
理美容施術台１では、上半身温熱部１３の温度は、温度制御部によって、施術中の温度である施術中温度、および、施術が終了する直前の温度であって施術中温度よりも低い終了温度に制御される。この構成により、施術が終了する際、温熱範囲の温度が徐々に低下し、リラックスした環境から通常の環境に、緩やかに遷移させ、快適な覚醒を被施術者に提供することができる。
【００４９】
特に、上半身温熱範囲１４の温度が３６度または３８．５度から徐々に低下すれば、リラックスした環境から通常の環境に、緩やかに遷移し、快適な覚醒を被施術者に提供することができる。
【００５０】
理美容施術台１では、基台部２の変形機構３が稼働することで、臀部大腿載置部５、下腿載置部６、上半身載置部７が変位し、理美容施術台１は、椅子状態とベッド状態とに相互に変化する。したがって、被施術者は、椅子状態の理美容施術台１に着座すれば、自動的にベッド状態における快適な姿勢が促される。施術が終わった後、理美容施術台１が椅子状態に変形すれば、被施術者は着座した姿勢が促される。
【００５１】
なお、理美容施術台１は、初めからベッド状態のままであり、椅子状態に変形するものではない実施形態であってもよい。
【００５２】
次に、本発明の第二実施形態に係る理美容施術台を図面に基づいて説明する。図１０は、第二実施形態に係る理美容施術台２１の外観が示されている。図１１および図１２は、理美容施術台２１における上半身温熱部２３および上半身載置部２７の温度変化が示されている。なお、以下では、第一実施形態と異なる構成が主に説明され、同様の構成は適宜説明が省略されている。
【００５３】
図１０に示されているとおり、理美容施術台２１は、第一実施形態に係る理美容施術台１（図１参照）と比較して、上半身載置部２７における上半身温熱部２３の仕様および上半身温熱範囲２４が異なる。
【００５４】
上半身温熱部２３は、温度検知器（図示省略）を有し、この温度検知器によって、上半身温熱部２３の温度が制御される。温度検知器は、例えばバイメタルサーモスタットなどである。なお、温度検知器は、温度を制御することができる機器であれば任意であるが、バイメタルサーモスタットであれば、制御回路の構成や設置箇所の選択が比較的簡便である。
【００５５】
上半身温熱部２３による上半身温熱範囲２４は、被施術者の肩近傍における肩幅方向に沿った範囲である。詳説すれば、上半身温熱範囲２４は、上半身載置部２７の上部近傍において、中心線Ｘと直交する幅方向の端から端まで、かつ、上下の幅が約１００から４００ミリメートルである。好ましくは、上半身温熱範囲２４の上下の幅は、約３２０ミリメートルである。
【００５６】
図１１に示されているとおり、理美容施術台２１は、第一実施形態に係る理美容施術台１と比較して、上半身温熱部２３における温度制御が異なる。
【００５７】
上半身温熱部２３は、温度検知器によって、設定された温度範囲に制御され、このことによって、上半身載置部２７の表面、または、上半身載置部２７と被施術者との接触面（以下、上半身載置部２７の表面、または、上半身載置部２７と被施術者との接触面を、「接触面」と記す。）の温度が、所定の周期および所定の温度範囲において高温と低温とに繰り返し変化する。
【００５８】
接触面の温度範囲は、約３７から４１度であり、高温と低温との差が２度以内である。例えば、高温が約４１度であれば、低温は３９から４１度未満である。高温が約４０度であれば、低温は３８から４０度未満である。高温が約３９度であれば、低温は３７から３９度未満である。高温が約３８度であれば、低温は３７から３８度未満である。好ましくは、接触面の温度範囲は、約３８から４０度である。
【００５９】
接触面の温度範囲は、上半身温熱部２３の温度が温度検知器によって制御されることに伴って実現する。ここで、温度検知器の設定温度は、予め約４５から５５度の範囲に設定されている。したがって、上半身温熱部２３の温度が約５５度のとき、上半身温熱部２３の電源がＯＦＦとなり、上半身温熱部２３の温度が約４５度のとき、上半身温熱部２３の電源が再びＯＮとなる。さらに、接触面の温度は、例えば、上半身載置部２７の材質、上半身温熱部２３から接触面までの厚みなどに応じて異なる。例えば、上半身温熱部２３の上面に、第一積層体として約２５ミリメートルの通常のウレタンが積層された場合、上半身温熱部２３から接触面までの厚みは、約２５ミリメートルである。また、第一積層体の上面に、第二積層体として通常よりも柔らかい約２０ミリメートルのウレタンが積層された場合、上半身温熱部２３から接触面までの厚みは、約４５ミリメートルである。この場合の接触面の温度範囲は、下表１のとおりである。
【００６０】
【表１】
2019217249.tif 000003
【００６１】
所定の周期は、上半身温熱部２３の電源がＯＮである時間（低温から高温に至るまでの時間）、および、上半身温熱部２３の電源がＯＦＦである時間（高温から低温に至るまでの時間）を一周期としたとき、この一周期が、約１０分以上であることが好ましい。図１１においては、上半身温熱部２３の電源がＯＮである平均の時間が約２．４分、上半身温熱部２３の電源がＯＦＦである平均の時間が約８．１分である。デューティ比は２３パーセントである。
【００６２】
上記のとおり、上半身温熱部２３の温度、上半身載置部２７の材質、上半身温熱部２３から接触面までの厚みなどが適切に選択されることで、接触面の温度範囲が所望の数値に制御される。詳説すれば、上半身温熱部２３の温度が上昇することに伴い、接触面も昇温し、上半身温熱部２３が約５５度に達すると、接触面は高温（例えば約４０度）となる。このとき、温度検知器が作動して上半身温熱部２３の電源がＯＦＦとなる。上半身温熱部２３の温度が低下することに伴い、接触面も降温し、上半身温熱部２３が約４５度に達すると、接触面は低温（例えば約３８度）となる。このとき、温度検知器が作動して上半身温熱部２３の電源がＯＮとなる。この現象が繰り返される。被施術者は、接触面の温度が低下することに伴い、深部体温が低下して眠気を起こす。
【００６３】
なお、接触面の温度範囲および所定の周期は、例えば、上半身載置部２７に横たわった被施術者の体重、血流量、体温、表面積などに応じて僅かに異なる。すなわち、被施術者の体重に応じて、積層体における圧縮の度合いが異なるため、体重が重たく、接触面が上半身温熱部２３に近づけば、接触面の温度が比較的高くなりやすく、一方で、体重が軽ければ、接触面の温度が比較的低くなりやすい。また、被施術者の血流量、体温、表面積などに応じて、接触面からの放熱の度合いが異なるため、血流量が多い場合、体温が接触面の温度と多分に相違する場合、表面積が比較的大きい場合は、接触面からの放熱量が多く、所定の周期が比較的早くなりやすい。一方で、血流量が少ない場合、体温が接触面の温度とあまり変わらない場合、表面積が比較的小さい場合は、接触面からの放熱量が少なく、所定の周期が比較的遅くなりやすい。
【００６４】
したがって、図１１および図１２に示されているとおり、接触面の温度および所定の周期は、被施術者に応じて僅かに差異がある。なお、図１２の場合においては、上半身温熱部２３の電源がＯＮである平均の時間が約８分、上半身温熱部２３の電源がＯＦＦである平均の時間が約１６分である。デューティ比は３３パーセントである。また、他の例（図示省略）では、上半身温熱部２３の電源がＯＮである平均の時間が約４．２分、上半身温熱部２３の電源がＯＦＦである平均の時間が約１４．２分であり、デューティ比は２３パーセントであった。
【００６５】
上記したとおり、理美容施術台２１では、温度検知器によって、設定された温度範囲に上半身温熱部２３が制御され、このことによって、接触面が、所定の周期および所定の温度範囲において高温と低温とに繰り返し変化する。この構成により、上半身温熱部２３の温度が高温から低温に下がることで、上半身載置部２７から被施術者に伝わる熱が下がると共に被施術者の深部体温が下がり、被施術者は眠気を起こす。したがって、被施術者に快適な環境を提供することができる。
【００６６】
理美容施術台２１は、上半身温熱範囲２４が、上半身載置部２７の上部近傍において、被施術者の肩近傍における肩幅方向に沿った範囲である。この構成により、被施術者の上半身のうち、肩や背中が加温され、手の皮膚温が上昇する。手指の毛細血管から表皮を通じて放熱量が増えると、やがて深部体温が下がり、被施術者は眠気を起こす。昇温と降温とが繰り返されると、複数回に渡って被施術者に眠気を起こさせることができる。したがって、被施術者に快適な環境を提供することができる。
【００６７】
理美容施術台２１は、温度範囲が３７から４１度であり、高温と低温との差が２度以内である。この構成により、体が過剰に加温されることがなく、深部体温も過剰に上昇しない。すなわち、深部体温の上昇が適度であれば、放熱による深部体温の低下が適切に促される。また、高温と低温との差が２度程度であれば、過剰に深部体温を制御することがなく、被施術者に適切に眠気を起こさせることができると考えられる。したがって、快適な環境を提供することができる。
【００６８】
理美容施術台２１は、シャンプーボウルを有していないが、シャンプーボウルを有する構成であってもよい。なお、シャンプーボウルを有していない構成であっても、例えば水を使わないマッサージによるヘッドスパ、美容施術などにおいて、快適な環境を提供することができる。
【００６９】
理美容施術台２１は、下腿温熱部１１を稼働させず、下腿温熱範囲１２を有しない構成であってもよい。また、下腿載置部６に下腿温熱部１１が備えられていなくてもよい。
【００７０】
なお、本発明に係る第三実施形態（図示省略）として、第一実施形態に係る理美容施術台１と同様に、上半身温熱範囲１４が、上半身載置部７の先端から後端まで、かつ、上半身載置部７の前後方向に渡る中心線Ｘを中心として両幅方向に約５０から１００ミリメートルであり（図１参照）、第二実施形態に係る理美容施術台２１と同様に、上半身温熱部２３が、温度検知器によって、設定された温度範囲に制御され、このことによって、接触面の温度が、所定の周期および所定の温度範囲において高温と低温とに繰り返し変化する構成（図１１および図１２参照）であってもよい。
【００７１】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００７２】
１，２１    理美容施術台
２          基台部
３          変形機構
４          施術台本体部
５          臀部大腿載置部
６          下腿載置部
７，２７    上半身載置部
８          ひじ掛け部
１０        連結軸
１１        下腿温熱部
１２        下腿温熱範囲
１３，２３  上半身温熱部
１４，２４  上半身温熱範囲
Ｘ          中心線
【図１】
2019217249.tif 000004
【図２】
2019217249.tif 000005
【図３】
2019217249.tif 000006
【図４】
2019217249.tif 000007
【図５】
2019217249.tif 000008
【図６】
2019217249.tif 000009
【図７】
2019217249.tif 000010
【図８】
2019217249.tif 000011
【図９】
2019217249.tif 000012
【図１０】
2019217249.tif 000013
【図１１】
2019217249.tif 000014
【図１２】
2019217249.tif 000015